(57)【特許請求の範囲】
【請求項１】
交換ネットワークの同期方法であって、第一交換装置に用いられ、
第一疑似ターゲットＩＤを受信することと、
アクセス装置を介して第二交換装置によって送信された第二疑似ターゲットＩＤを受信することと、
前記第一疑似ターゲットＩＤ及び前記第二疑似ターゲットＩＤに基づいて第一ターゲットＩＤを決定することと、
前記第一交換装置に対応する第一身元識別番号ＩＤと前記第一ターゲットＩＤが同じであるかどうかを判定することと、
同じでない場合、前記第一交換装置に接続しているアクセス装置における第一アクセス装置を情報同期装置として選択して、前記第一交換装置が前記情報同期装置を介してターゲット交換装置と情報同期を行うことと、
前記第一交換装置に接続している、前記情報同期装置以外の他のアクセス装置へ第一ターゲットＩＤを送信することで、前記情報同期装置以外の他のアクセス装置が前記第一ターゲットＩＤに基づいて前記ターゲット交換装置との情報同期プロセスを実現することと、を含み、
前記第一疑似ターゲットＩＤは、前記第一交換装置に接続しているアクセス装置が第一身元識別番号ＩＤに基づいて決定された疑似ターゲット交換装置に対応するＩＤであり、
前記第二疑似ターゲットＩＤは、前記第二交換装置によって決定された疑似ターゲット交換装置に対応するＩＤであり、
前記第一ターゲットＩＤは、前記ターゲット交換装置に対応するＩＤである、前記交換ネットワークの同期方法。
【請求項２】
前記第一交換装置がアクセス装置を介して前記第二交換装置へ制御命令を送信することを更に含み、
前記制御命令は、前記第二交換装置が前記制御命令には含まれた径路情報に基づいて前記ターゲット交換装置との情報同期プロセスを実現させるように制御するために用いられる、
請求項１に記載の交換ネットワークの同期方法。
【請求項３】
前記第一交換装置がアクセス装置を介して前記第二交換装置へ制御命令を送信することで、前記第二交換装置が前記制御命令には含まれた径路情報に基づいて情報同期径路を決定することを更に含む、
請求項１に記載の交換ネットワークの同期方法。
【請求項４】
交換ネットワークの同期方法であって、アクセス装置に用いられ、
少なくとも１つの交換装置によって送信された第一身元識別番号ＩＤを受信することと、
受信された少なくとも１つの第一身元識別番号ＩＤに基づいて第一疑似ターゲットＩＤを決定することと、
前記第一疑似ターゲットＩＤを自分に接続している交換装置に送信し、前記自分に接続している交換装置は第一交換装置を含むことと、
交換装置によって送信された第一ターゲットＩＤを受信することと、
前記第一ターゲットＩＤに基づいて前記アクセス装置がターゲット交換装置との情報同期プロセスを実現させるように制御することと、
を含み、
前記第一疑似ターゲットＩＤは、疑似ターゲット交換装置に対応するＩＤを表すために用いられ、
前記第一ターゲットＩＤは、前記ターゲット交換装置に対応するＩＤを表すために用いられ、
前記第一交換装置に対応する第一身元識別番号ＩＤと前記第一ターゲットＩＤが同じでない場合、前記第一交換装置に接続しているアクセス装置における第一アクセス装置を情報同期装置として選択し、前記第一交換装置が前記情報同期装置を介して前記ターゲット交換装置と情報同期を行うようにする、前記交換ネットワークの同期方法。
【請求項５】
第一交換装置であって、
第一疑似ターゲットＩＤを受信するように構成される第一受信ユニットと、
アクセス装置を介して第二交換装置によって送信された第二疑似ターゲットＩＤを受信するように構成される第二受信ユニットと、
前記第一疑似ターゲットＩＤ及び前記第二疑似ターゲットＩＤに基づいて第一ターゲットＩＤを決定するように構成される第一決定ユニットと、
前記第一交換装置に対応する第一身元識別番号ＩＤと前記第一ターゲットＩＤが同じであるかどうかを判定するように構成される判定ユニットと、
同じでない場合、前記第一交換装置に接続しているアクセス装置における第一アクセス装置を情報同期装置として選択して、前記第一交換装置が前記情報同期装置を介してターゲット交換装置と情報同期を行うように構成される第一制御ユニットと、
前記第一交換装置に接続している、前記情報同期装置以外の他のアクセス装置へ第一ターゲットＩＤを送信することで、前記情報同期装置以外の他のアクセス装置が前記第一ターゲットＩＤに基づいて前記ターゲット交換装置との情報同期プロセスを実現するように構成される第一送信ユニットと、を備え、
前記第一疑似ターゲットＩＤは、前記第一交換装置に接続しているアクセス装置が第一身元識別番号ＩＤに基づいて決定された疑似ターゲット交換装置に対応するＩＤであり、
前記第二疑似ターゲットＩＤは、前記第二交換装置によって決定された疑似ターゲット交換装置に対応するＩＤであり、
前記第一ターゲットＩＤは、前記ターゲット交換装置に対応するＩＤである、前記第一交換装置。
【請求項６】
アクセス装置を介して前記第二交換装置へ制御命令を送信するように構成される第二制御ユニットを更に備え、
前記制御命令は、前記第二交換装置が前記制御命令には含まれた径路情報に基づいて前記ターゲット交換装置との情報同期プロセスを実現させるように制御するために用いられる、
請求項５に記載の第一交換装置。
【請求項７】
前記第二制御ユニットは、さらに、アクセス装置を介して前記第二交換装置へ制御命令を送信することで、前記第二交換装置が前記制御命令には含まれた径路情報に基づいて情報同期径路を決定するように構成される、
請求項６に記載の第一交換装置。
【請求項８】
アクセス装置であって、
少なくとも１つの交換装置によって送信された第一身元識別番号ＩＤを受信するように構成される第三受信ユニットと、
受信された少なくとも１つの第一身元識別番号ＩＤに基づいて第一疑似ターゲットＩＤを決定するように構成される第二決定ユニットと、
前記第一疑似ターゲットＩＤを自分に接続している交換装置に送信し、前記自分に接続している交換装置は第一交換装置を含むように構成される第二送信ユニットと、
交換装置によって送信された第一ターゲットＩＤを受信するように構成される第四受信ユニットと、
前記第一ターゲットＩＤに基づいて前記アクセス装置がターゲット交換装置との情報同期プロセスを実現させるように制御するように構成される第三制御ユニットと、を備え、
前記第一交換装置に対応する第一身元識別番号IDと前記第一ターゲットIDが同じでない場合、前記第一交換装置に接続しているアクセス装置における第一アクセス装置を情報同期装置として選択し、前記第一交換装置が前記情報同期装置を介して前記ターゲット交換装置と情報同期を行うようにし、
前記第一疑似ターゲットＩＤは、疑似ターゲット交換装置に対応するＩＤを表すために用いられる、前記アクセス装置。
【請求項９】
第一コンピュータ読取可能な記憶媒体であって、
請求項１〜３のいずれか１項に記載の交換ネットワークの同期方法を実行するために用いられる命令のセットを含む、前記第一コンピュータ読取可能な記憶媒体。
【請求項１０】
第二コンピュータ読取可能な記憶媒体であって、
請求項４に記載の交換ネットワークの同期方法を実行するために用いられる命令のセットを含む、前記第二コンピュータ読取可能な記憶媒体。
【発明の詳細な説明】
【技術分野】
【０００１】
本発明は大容量データ交換技術に関し、特に交換ネットワークの同期方法及び交換装置、アクセス装置、記憶媒体に関する。
【背景技術】
【０００２】
交換ネットワークは、交換システムにおいてアクセス装置の間のデータ交換を実現する。交換ネットワークは、単段交換ネットワークを含み、ここで、前記単段交換ネットワークには含まれた交換装置とアクセス装置の間が固定数のリンクによって接続され、ネットワークを簡単に構成するので、単段交換ネットワークが広く用いられる。
【発明の概要】
【発明が解決しようとする課題】
【０００３】
しかしながら、従来の単段交換ネットワークの情報同期方法について、固定接続している交換ネットワークの同期問題しか解決できせず、リンクが変化することで交換ネットワークのトポロジが変化させるような交換ネットワークの同期問題を解決できないので、情報同期にトラブルを引き起こして、交換機能を低下し、帯域幅を無駄にする。
【課題を解決するための手段】
【０００４】
本発明の実施形態は、従来の技術問題を解決するために、交換ネットワークの同期方法及び交換装置、アクセス装置、記憶媒体を提供し、複雑で変更可能な交換ネットワークの情報が同期できない問題を解決し、更に、交換ネットワークの交換機能及び帯域幅の利用率を向上することができる。
【０００５】
本発明の実施形態に係る技術案は下記のように実現される。
本発明の実施形態は、第一交換装置に用いられた交換ネットワークの同期方法を提供し、
第一疑似ターゲットＩＤを受信することと、
アクセス装置を介して第二交換装置によって送信された第二疑似ターゲットＩＤを受信することと、
前記第一疑似ターゲットＩＤ及び前記第二疑似ターゲットＩＤに基づいて第一ターゲットＩＤを決定することと、を含み、
前記第一疑似ターゲットＩＤは、前記第一交換装置に接続しているアクセス装置が第一身元識別番号ＩＤに基づいて決定された疑似ターゲット交換装置に対応するＩＤであり、
前記第二疑似ターゲットＩＤは、前記第二交換装置によって決定された疑似ターゲット交換装置に対応するＩＤであり、
前記第一ターゲットＩＤは、ターゲット交換装置に対応するＩＤである。
【０００６】
上述の技術案において、前記方法は、
前記第一交換装置に対応する第一身元識別番号ＩＤと前記第一ターゲットＩＤが同じであるかどうかを判定することと、
同じでない場合、前記第一交換装置に接続しているアクセス装置における第一アクセス装置を情報同期装置として選択して、前記第一交換装置が前記情報同期装置を介して前記ターゲット交換装置と情報同期を行うことと、を更に含む。
【０００７】
上述の技術案において、前記方法は、
前記第一交換装置に接続している、前記情報同期装置以外の他のアクセス装置へ第一ターゲットＩＤを送信することで、前記情報同期装置以外の他のアクセス装置が前記第一ターゲットＩＤに基づいて前記ターゲット交換装置との情報同期プロセスを実現することを更に含む。
【０００８】
上述の技術案において、前記方法は、
前記第一交換装置がアクセス装置を介して前記第二交換装置へ制御命令を送信することを更に含み、
前記制御命令は、前記第二交換装置が前記制御命令には含まれた径路情報に基づいて前記ターゲット交換装置との情報同期プロセスを実現させるように制御するために用いられる。
【０００９】
上述の技術案において、前記方法は、
前記第一交換装置がアクセス装置を介して前記第二交換装置へ制御命令を送信することで、前記第二交換装置が前記制御命令には含まれた径路情報に基づいて情報同期径路を決定することを更に含む。
【００１０】
本発明の実施形態は、アクセス装置に用いられた交換ネットワークの同期方法を提供し、
少なくとも１つの交換装置によって送信された第一身元識別番号ＩＤを受信することと、
受信された少なくとも１つの第一身元識別番号ＩＤに基づいて第一疑似ターゲットＩＤを決定することと、
前記第一疑似ターゲットＩＤを送信することと、を含み、
前記第一疑似ターゲットＩＤは、疑似ターゲット交換装置に対応するＩＤを表すために用いられる。
【００１１】
上述の技術案において、前記方法は、
交換装置によって送信された第一ターゲットＩＤを受信することと、
前記第一ターゲットＩＤに基づいて前記アクセス装置が前記ターゲット交換装置との情報同期プロセスを実現させるように制御することと、を更に含み、
前記第一ターゲットＩＤは、ターゲット交換装置に対応するＩＤを表すために用いられる。
【００１２】
本発明の実施形態は第一交換装置を提供し、
第一疑似ターゲットＩＤを受信するように構成される第一受信ユニットと、
アクセス装置を介して第二交換装置によって送信された第二疑似ターゲットＩＤを受信するように構成される第二受信ユニットと、
前記第一疑似ターゲットＩＤ及び前記第二疑似ターゲットＩＤに基づいて第一ターゲットＩＤを決定するように構成される第一決定ユニットと、を備え、
前記第一疑似ターゲットＩＤは、前記第一交換装置に接続しているアクセス装置が第一身元識別番号ＩＤに基づいて決定された疑似ターゲット交換装置に対応するＩＤであり、
前記第二疑似ターゲットＩＤは、前記第二交換装置によって決定された疑似ターゲット交換装置に対応するＩＤであり、
前記第一ターゲットＩＤはターゲット交換装置に対応するＩＤである。
【００１３】
上述の技術案において、前記第一交換装置は、
前記第一交換装置に対応する第一身元識別番号ＩＤと前記第一ターゲットＩＤが同じであるかどうかを判定するように構成される判定ユニットと、
同じでない場合、前記第一交換装置に接続しているアクセス装置における第一アクセス装置を情報同期装置として選択して、前記第一交換装置が前記情報同期装置を介して前記ターゲット交換装置と情報同期を行うように構成される第一制御ユニットと、を更に備える。
【００１４】
上述の技術案において、前記第一交換装置は、前記第一交換装置に接続している、前記情報同期装置以外の他のアクセス装置へ第一ターゲットＩＤを送信することで、前記情報同期装置以外の他のアクセス装置が前記第一ターゲットＩＤに基づいて前記ターゲット交換装置との情報同期プロセスを実現するように構成される第一送信ユニットを更に備える。
【００１５】
上述の技術案において、前記第一交換装置は、
アクセス装置を介して前記第二交換装置へ制御命令を送信するように構成される第二制御ユニットを更に備え、
前記制御命令は、前記第二交換装置が前記制御命令には含まれた径路情報に基づいて前記ターゲット交換装置との情報同期プロセスを実現させるように制御するために用いられる。
【００１６】
上述の技術案において、前記第二制御ユニットは、アクセス装置を介して前記第二交換装置へ制御命令を送信することで、前記第二交換装置が前記制御命令には含まれた径路情報に基づいて情報同期径路を決定するように構成される。
【００１７】
本発明の実施形態はアクセス装置を提供し、前記アクセス装置は、
少なくとも１つの交換装置によって送信された第一身元識別番号ＩＤを受信するように構成される第三受信ユニットと、
受信された少なくとも１つの第一身元識別番号ＩＤに基づいて第一疑似ターゲットＩＤを決定するように構成される第二決定ユニットと、
前記第一疑似ターゲットＩＤを送信するように構成される第二送信ユニットと、を備え、
前記第一疑似ターゲットＩＤは、疑似ターゲット交換装置に対応するＩＤを表すために用いられる。
【００１８】
上述の技術案において、前記アクセス装置は、
交換装置によって送信された第一ターゲットＩＤを受信するように構成される第四受信ユニットと、
前記第一ターゲットＩＤに基づいて前記アクセス装置が前記ターゲット交換装置との情報同期プロセスを実現させるように制御するように構成される第三制御ユニットと、を更に備え、
前記第一ターゲットＩＤは、ターゲット交換装置に対応するＩＤを表すために用いられる。
【発明の効果】
【００１９】
本発明の実施形態に記載の交換ネットワークの同期方法及び交換装置、アクセス装置、記憶媒体について、第一交換装置を介して第一疑似ターゲットＩＤを受信し、アクセス装置を介して第二交換装置によって送信された第二疑似ターゲットＩＤを受信し、前記第一疑似ターゲットＩＤ及び前記第二疑似ターゲットＩＤに基づいて第一ターゲットＩＤを決定し、前記第一ターゲットＩＤはターゲット交換装置に対応するＩＤであり、それにより、第一交換装置が他の交換装置によって送信された第二疑似ターゲットＩＤを受信し、更に、前記第一交換装置が交換ネットワークに対応する唯一の第一ターゲットＩＤを決定し、交換ネットワークにおける全ての装置の情報同期を実現する。
【図面の簡単な説明】
【００２０】
【図１】従来の単段交換ネットワークに対応する情報同期方向の図一である。
【図２】従来の単段交換ネットワークに対応する情報同期方向の図二である。
【図３】本発明実施形態による交換ネットワークの同期方法の実現フローチャート一である。
【図４】本発明実施形態による第一交換装置の構成図である。
【図５】本発明実施形態による交換ネットワークの同期方法の実現フローチャート二である。
【図６】本発明実施形態によるアクセス装置の構成図である。
【図７】本発明実施形態による交換ネットワークの同期方法の具体的な実現フローチャートである。
【図８】本発明実施形態による単段交換ネットワークの同期方向の図である。
【発明を実施するための形態】
【００２１】
図１は従来の単段交換ネットワークに対応する情報同期方向の図一である。図１に示すように、単段交換ネットワークは３つの交換装置と３つのアクセス装置を備え、ここで、各装置に自分の身元識別番号（ＩＤ）が設けられる。具体的に、前記３つの交換装置に対応するＩＤは、それぞれ交換装置ＩＤ０、交換装置ＩＤ１と交換装置ＩＤ２であり、前記３つのアクセス装置に対応するＩＤは、それぞれアクセス装置ＩＤ０、アクセス装置ＩＤ１とアクセス装置ＩＤ２である。実際の応用において、単段交換ネットワークに対応する交換システムにおいて、１つの基準だけがあり、即ち、前記交換システムにおける全ての装置が同一の基準交換装置と情報同期をそれぞれ行う必要があり、それにより、交換システム全体の情報同期を確保することができる。
【００２２】
前記単段交換ネットワークにおいて、従来の同期方法について、最小ＩＤの交換装置を交換システムの基準交換装置として選出し、アクセス装置は、それに接続している最小ＩＤの交換装置を同期対象として選出する。具体的に、図１に示すように、全ての交換装置とアクセス装置の間にそれぞれ１つのリンクによって接続され、全てのアクセス装置がＩＤ０の交換装置と情報同期をそれぞれ行い、ＩＤ０の交換装置以外の他の交換装置、例えば、ＩＤ１又はＩＤ２の交換装置がＩＤ０のアクセス装置と同期をそれぞれ行い、上記の同期プロセスによって、この交換システムの情報同期プロセスを実現することができる。
【００２３】
図２は従来の単段交換ネットワークに対応する情報同期方向の図二である。図２に示すように、単段交換ネットワークは３つの交換装置と３つのアクセス装置を備え、各装置に設けられるＩＤが図１と類似し、図１と比べて、装置間の接続方式のみが異なる。ここで、交換装置ＩＤ１はアクセス装置ＩＤ０及びアクセス装置ＩＤ１との間のリンクが切断され、アクセス装置ＩＤ２と交換装置ＩＤ０との間のリンクが切断され、それにより、図１に示すような同期方式に従って、アクセス装置ＩＤ０及びアクセス装置ＩＤ１が交換装置ＩＤ０と同期を行い、交換装置ＩＤ２がアクセス装置ＩＤ０を介して交換装置ＩＤ０と情報同期を行う。ここで、アクセス装置ＩＤ２が交換装置ＩＤ１及び交換装置ＩＤ２しか接続しないので、アクセス装置ＩＤ２が交換装置ＩＤ１と情報同期を行い、アクセス装置ＩＤ２及び交換装置ＩＤ１が交換装置ＩＤ０と情報同期を行うことができなく、交換システムに２つのサブ同期システムが現われ、交換装置においてデータセルのスタックを引き起こして、交換ネットワークの容量を低下する。
【００２４】
上記の問題を解決するために、本発明の実施形態は交換ネットワークの同期方法及び装置を提供する。具体的に、本発明の実施形態による思想について、第一交換装置が第一疑似ターゲットＩＤを受信し、前記第一交換装置がアクセス装置を介して第二交換装置によって送信された第二疑似ターゲットＩＤを受信し、前記第一交換装置が前記第一疑似ターゲットＩＤ及び前記第二疑似ターゲットＩＤに基づいて第一ターゲットＩＤを決定し、前記第一ターゲットＩＤはターゲット交換装置に対応するＩＤであり、それにより、第一交換装置は、他の交換装置によって送信された第二疑似ターゲットＩＤを受信することができ、更に、交換ネットワークに対応する唯一の第一ターゲットＩＤを容易に決定し、交換ネットワークにおける全ての装置の情報同期を実現することができる。
【００２５】
本発明の実施形態と技術案を明確に説明するために、以下、図面及び実施形態を参照して本発明の技術案について詳しく説明する。添付の図面は参照及び説明するために用いられ、本発明を限定するものではない。
【００２６】
実施形態一
図３は本発明実施形態による交換ネットワークの同期方法の実現フローチャート一である。前記方法が第一交換装置に用いられ、前記第一交換装置が少なくとも１つのアクセス装置に接続され、且つ、前記第一交換装置がアクセス装置を介して第二交換装置に接続することができ、図３に示すように、前記方法は、ステップ３０１、ステップ３０２、ステップ３０３を含む。
【００２７】
ステップ３０１において、第一疑似ターゲットＩＤを受信し、前記第一疑似ターゲットＩＤは、前記第一交換装置に接続しているアクセス装置が第一身元識別番号ＩＤに基づいて決定された疑似ターゲット交換装置に対応するＩＤである。
【００２８】
本実施形態において、前記第一交換装置が自分の第一身元識別番号ＩＤを自分に接続している少なくとも１つのアクセス装置へ送信し、アクセス装置が前記第一交換装置だけに接続しなく、実際の応用において、アクセス装置が複数の交換装置に接続するので、アクセス装置が少なくとも１つの交換装置によって送信された第一身元識別番号ＩＤを受信することができ、アクセス装置が少なくとも１つの第一身元識別番号ＩＤを受信した後、第一所定規則に基づいて、受信された全ての第一身元識別番号ＩＤから１つの第一疑似ターゲットＩＤを選出し、更に、選出された第一疑似ターゲットＩＤを自分に接続している交換装置、即ち本実施形態においての第一交換装置に送信し、それにより、前記第一交換装置が第一疑似ターゲットＩＤを取得する。ここで、前記第一所定規則はＩＤの最小原則であり、具体的に、アクセス装置は、受信された全ての前記第一身元識別番号ＩＤから最小の第一身元識別番号ＩＤを第一疑似ターゲットＩＤとして選出する。
【００２９】
ステップ３０２において、アクセス装置を介して第二交換装置によって送信された第二疑似ターゲットＩＤを受信し、前記第二疑似ターゲットＩＤは、前記第二交換装置によって決定された疑似ターゲット交換装置に対応するＩＤである。
【００３０】
本実施形態において、同様に、第二交換装置が自分の第一身元識別番号ＩＤを自分に接続しているアクセス装置へ送信し、アクセス装置が第一所定規則に基づいて、受信された全ての第一身元識別番号ＩＤから１つの第一疑似ターゲットＩＤを選出し、更に、選出された第一疑似ターゲットＩＤを自分に接続している交換装置、例えば、第二交換装置へ送信し、それにより、前記第二交換装置は、自分によって受信された第一疑似ターゲットＩＤに基づいて第二疑似ターゲットＩＤを決定し、アクセス装置を介して自分によって決定された第二疑似ターゲットＩＤを他の交換装置、即ち本実施形態においての第一交換装置へ送信し、それにより、前記第一交換装置は自分の交換ネットワークのターゲット交換装置を容易に決定する。
【００３１】
ステップ３０３において、前記第一疑似ターゲットＩＤ及び前記第二疑似ターゲットＩＤに基づいて第一ターゲットＩＤを決定し、前記第一ターゲットＩＤはターゲット交換装置に対応するＩＤである。
【００３２】
本実施形態において、前記第一交換装置が第一疑似ターゲットＩＤ及び前記第二疑似ターゲットＩＤを受信した後、前記第一疑似ターゲットＩＤ及び前記第二疑似ターゲットＩＤに基づいて第一ターゲットＩＤを決定する。それにより、前記第一交換装置が自分の対応交換ネットワーク全体に対応しているターゲット交換対象を決定し、更に、交換ネットワーク全体が同一の基準を有し、交換ネットワークの全ての装置の情報同期を実現する。
【００３３】
本実施形態において、前記第一交換装置は、自分の交換ネットワークにおいて他の交換装置によって送信された第二疑似ターゲットＩＤを受信することができるので、第二疑似ターゲットＩＤを参照して、当該交換ネットワークにおける唯一のターゲット交換装置を決定し、さらに、交換ネットワーク全体の情報同期を実現することができる。
【００３４】
前記第一交換装置がターゲット交換装置であるかどうかを決定するために、本実施形態において、前記方法は、
前記第一交換装置に対応する第一身元識別番号ＩＤと前記第一ターゲットＩＤが同じであるかどうかを判定することと、
同じでない場合、前記第一交換装置に接続しているアクセス装置における第一アクセス装置を情報同期装置として選択して、前記第一交換装置が前記情報同期装置を介して前記ターゲット交換装置と情報同期を行うことと、を更に含む。
【００３５】
本実施形態において、同じである場合、前記第一交換装置が第一交換装置に対応する交換ネットワークにおける全ての装置との情報同期プロセスを実現するように制御する。
【００３６】
本実施形態において、前記第一アクセス装置から前記第一交換装置へ送信された第一疑似ターゲットＩＤは前記第一ターゲットＩＤと同じであり、即ち、前記第一アクセス装置は前記ターゲット交換装置に接続している装置であり、それにより、前記第一交換装置が前記第一アクセス装置を介して前記ターゲット交換装置との情報同期プロセスを実現する。
【００３７】
本実施形態において、前記第一交換装置と第一アクセス装置が情報同期を実現した後、前記方法は、
前記第一交換装置に接続している、前記情報同期装置以外の他のアクセス装置へ第一ターゲットＩＤを送信することで、前記情報同期装置以外の他のアクセス装置が前記第一ターゲットＩＤに基づいて前記ターゲット交換装置との情報同期プロセスを実現することを更に含む。
【００３８】
本実施形態において、前記第一交換装置が前記第二交換装置の情報同期径路を直接制御することができ、具体的に、前記方法は、
前記第一交換装置がアクセス装置を介して前記第二交換装置へ制御命令を送信することを更に含み、前記制御命令は、前記第二交換装置が前記制御命令には含まれた径路情報に基づいて前記ターゲット交換装置との情報同期プロセスを実現させるように制御するために用いられる。
【００３９】
本実施形態において、前記第二交換装置が選択するために、前記第一交換装置は、第二交換装置に径路情報だけを送信することができ、具体的に、前記方法は、
前記第一交換装置がアクセス装置を介して前記第二交換装置へ制御命令を送信することで、前記第二交換装置が前記制御命令には含まれた径路情報に基づいて情報同期径路を決定することを更に含む。
【００４０】
具体的に、前記第二交換装置は、前記情報同期径路に基づいて前記ターゲット交換装置との情報同期プロセスを実現することができる。前記情報同期径路はアクセス装置及び第一交換装置を経由して最後に前記ターゲット交換装置に達する径路であり、実際の応用において、前記情報同期径路は最適径路であってよく、例えば、最短径路などである。
【００４１】
実際の応用において、情報同期が一方向のプロセスであるように確保し、互いに同期することを避けるために、本実施形態において、前記第一交換装置が前記情報同期装置以外の他のアクセス装置に第一ターゲットＩＤを送信すると共に、前記情報同期装置以外の他のアクセス装置に第一径路情報を送信する。前記第一径路情報は前記第一交換装置に対応する第一身元識別番号ＩＤ及び前記第一交換装置に対応するレベル情報を含み、それにより、前記情報同期装置以外の他のアクセス装置は前記ターゲット交換装置との情報同期を容易に実現する。
【００４２】
ここで、前記レベル情報は装置に対応するレベル情報である。具体的に、前記ターゲット交換装置に初期同期レベル情報を設定し、前記ターゲット交換装置と情報同期を直接に実現する装置のレベル情報を第一レベル情報として設定し、１つのアクセス装置を介して前記ターゲット交換装置と同期を実現する交換装置のレベル情報を第二レベル情報として設定し、このように、交換ネットワークにおける全ての装置が自分のレベルを有する。それにより、レベル情報に基づいて情報同期を行い、各レベルの情報同期をそれぞれ実現し、互いに同期することを避ける。
【００４３】
また、前記レベル情報は径路に対応するレベル情報であってよく、即ち、装置から前記ターゲット交換装置までの径路に対応するレベル情報であり、各装置から前記ターゲット交換装置までの径路が唯一ではない場合、低いレベルである唯一の径路を情報同期径路として選択することで、各レベルの情報同期をそれぞれ実現し、互いに同期することを避ける。
【００４４】
実施形態一に記載の方法を実現するために、本発明実施形態は第一交換装置を提供する。図４に示すように、前記第一交換装置は、
第一疑似ターゲットＩＤを受信するように構成される第一受信ユニット４１と、
アクセス装置を介して第二交換装置によって送信された第二疑似ターゲットＩＤを受信するように構成される第二受信ユニット４２と、
前記第一疑似ターゲットＩＤ及び前記第二疑似ターゲットＩＤに基づいて第一ターゲットＩＤを決定するように構成される第一決定ユニット４３と、を備え、
前記第一疑似ターゲットＩＤは、前記第一交換装置に接続しているアクセス装置が第一身元識別番号ＩＤに基づいて決定された疑似ターゲット交換装置に対応するＩＤであり、
前記第二疑似ターゲットＩＤは、前記第二交換装置によって決定された疑似ターゲット交換装置に対応するＩＤであり、
前記第一ターゲットＩＤはターゲット交換装置に対応するＩＤである。
【００４５】
本実施形態において、前記第一交換装置は、
前記第一交換装置に対応する第一身元識別番号ＩＤと前記第一ターゲットＩＤが同じであるかどうかを判定するように構成される判定ユニット４４と、
同じでない場合、前記第一交換装置に接続しているアクセス装置における第一アクセス装置を情報同期装置として選択して、前記第一交換装置が前記情報同期装置を介して前記ターゲット交換装置と情報同期を行うように構成される第一制御ユニット４５と、を備える。
【００４６】
本実施形態において、前記第一交換装置は、
前記第一交換装置に接続している、前記情報同期装置以外の他のアクセス装置へ第一ターゲットＩＤを送信することで、前記情報同期装置以外の他のアクセス装置が前記第一ターゲットＩＤに基づいて前記ターゲット交換装置との情報同期プロセスを実現するように構成される第一送信ユニット４６を更に備える。
【００４７】
本実施形態において、前記第一交換装置は、
前記第一交換装置がアクセス装置を介して前記第二交換装置へ制御命令を送信するように構成される第二制御ユニット４７を更に備え、
前記制御命令は、前記第二交換装置が前記制御命令には含まれた径路情報に基づいて前記ターゲット交換装置との情報同期プロセスを実現させるように制御するために用いられる。
【００４８】
本実施形態において、前記第二制御ユニット４７は、アクセス装置を介して前記第二交換装置へ制御命令を送信することで、前記第二交換装置が前記制御命令には含まれた径路情報に基づいて情報同期径路を決定するように構成される。
【００４９】
当業者は、本発明の実施形態による第一交換装置における各処理ユニットの機能について、前記制御方法に関する説明を参照して理解することができ、ここでは詳細な説明を省略する。
【００５０】
実際の応用において、前記第一受信ユニット４１、第二受信ユニット４２、第一決定ユニット４３、判定ユニット４４、第一制御ユニット４５、第一送信ユニット４６及び第二制御ユニット４７はいずれも中央処理装置（Ｃｅｎｔｒａｌ  Ｐｒｏｃｅｓｓｉｎｇ  Ｕｎｉｔ：ＣＰＵ）、デジタル信号処理装置（Ｄｉｇｉｔａｌ  Ｓｉｇｎａｌ  Ｐｒｏｃｅｓｓｏｒ：ＤＳＰ）、又はフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）により実現され、前記ＣＰＵ、ＤＳＰ、ＦＰＧＡが第一交換装置における。
【００５１】
本発明の実施形態は第一コンピュータ読取可能な記憶媒体を提供し、該記憶媒体は命令のセットを含み、前記命令のセットは実施形態一に記載の交換ネットワークの同期方法を実行するために用いられる。
【００５２】
実施形態二
図５は本発明実施形態による交換ネットワークの同期方法の実現フローチャート二である。前記方法がアクセス装置に用いられ、アクセス装置が少なくとも１つの交換装置に接続している。図５に示すように、前記方法は、ステップ５０１、ステップ５０２、ステップ５０３を含む。
【００５３】
ステップ５０１において、少なくとも１つの交換装置によって送信された第一身元識別番号ＩＤを受信する。
【００５４】
ステップ５０２において、受信された少なくとも１つの第一身元識別番号ＩＤに基づいて第一疑似ターゲットＩＤを決定し、前記第一疑似ターゲットＩＤは疑似ターゲット交換装置に対応するＩＤを表すために用いられる。
【００５５】
本実施形態において、第一交換装置が自分の第一身元識別番号ＩＤを自分に接続している少なくとも１つのアクセス装置へ送信し、アクセス装置が前記第一交換装置だけに接続しなく、実際の応用において、アクセス装置が複数の交換装置に接続しているので、アクセス装置が少なくとも１つの交換装置によって送信された第一身元識別番号ＩＤを受信することができ、アクセス装置が少なくとも１つの第一身元識別番号ＩＤを受信した後、第一所定規則に基づいて、受信された全ての第一身元識別番号ＩＤから１つの第一疑似ターゲットＩＤを選出し、更に、選出された第一疑似ターゲットＩＤを自分に接続している交換装置、即ち本実施形態においての第一交換装置に送信し、それにより、前記第一交換装置が第一疑似ターゲットＩＤを取得する。ここで、前記第一所定規則はＩＤの最小原則であり、具体的に、アクセス装置が受信された全ての前記第一身元識別番号ＩＤから最小の第一身元識別番号ＩＤを第一疑似ターゲットＩＤとして選出する。
【００５６】
ステップ５０３において、前記第一疑似ターゲットＩＤを送信する。
【００５７】
本実施形態において、前記アクセス装置が第一疑似ターゲットＩＤを決定した後、前記第一疑似ターゲットＩＤを自分に接続している交換装置、例えば、第一交換装置に送信する。それにより、以下のように、交換装置が交換ネットワークに対応する唯一の１つのターゲット交換装置を決定する。
【００５８】
本実施形態において、前記方法は、
交換装置によって送信された第一ターゲットＩＤを受信することと、
前記第一ターゲットＩＤに基づいて前記アクセス装置が前記ターゲット交換装置との情報同期プロセスを実現させるように制御することと、を更に含む。
【００５９】
実際の応用において、前記アクセス装置が交換装置との情報同期プロセスを直接に実現することができ、例えば、前記アクセス装置が前記ターゲット交換装置に直接接続する場合、前記アクセス装置がターゲット交換装置と情報同期プロセスを直接に実現することができる。
【００６０】
または、前記アクセス装置は実施形態一に記載の第一アクセス装置である場合、前記第一交換装置との情報同期プロセスを直接に実現し、更に、前記ターゲット交換装置との情報同期プロセスを直接に実現して、前記第一交換装置と前記ターゲット交換装置との情報同期プロセスを支援して実現する。
【００６１】
または、前記交換装置が実施形態一に記載の前記情報同期装置以外の他のアクセス装置である場合、交換装置によって送信された第一ターゲットＩＤを受信すると共に、第一径路情報を受信する。前記第一径路情報は交換装置に対応する第一身元識別番号ＩＤ及び交換装置に対応するレベル情報を含み、例えば、前記第一交換装置に対応する第一身元識別番号ＩＤ及び前記第一交換装置に対応するレベル情報を含み、それにより、アクセス装置が前記ターゲット交換装置との情報同期を容易に実現し、互いに同期することを避ける。
【００６２】
ここで、前記レベル情報は装置に対応するレベル情報である。具体的に、前記ターゲット交換装置に初期同期レベル情報が設定された後、前記ターゲット交換装置との情報同期を直接に実現する装置のレベル情報を第一レベル情報として設定し、１つのアクセス装置を介して前記ターゲット交換装置との同期を実現する交換装置のレベル情報を第二レベル情報として設定し、このように、交換ネットワークにおける全ての装置が自分のレベルを有する。それにより、レベル情報に基づいて情報同期を行い、各レベルの情報同期をそれぞれ実現し、互いに同期することを避ける。
【００６３】
または、前記レベル情報は径路に対応するレベル情報であってよく、即ち装置から前記ターゲット交換装置までの径路に対応するレベル情報であり、各装置から前記ターゲット交換装置までの径路が唯一ではない場合、低いレベルである唯一の径路を情報同期径路として選択し、更に、各レベルの情報同期をそれぞれ実現し、互いに同期することを避ける。
【００６４】
実施形態二に記載の方法を実現するために、本発明の実施形態はアクセス装置を提供する。図６に示すように、前記アクセス装置は、
少なくとも１つの交換装置によって送信された第一身元識別番号ＩＤを受信するように構成される第三受信ユニット６１と、
受信された少なくとも１つの第一身元識別番号ＩＤに基づいて第一疑似ターゲットＩＤを決定するように構成される第二決定ユニット６２と、
前記第一疑似ターゲットＩＤを送信するように構成される第二送信ユニット６３と、を備え、
前記第一疑似ターゲットＩＤは疑似ターゲット交換装置に対応するＩＤを表すために用いられる。
【００６５】
本実施形態において、前記アクセス装置は、
交換装置によって送信された第一ターゲットＩＤを受信するように構成される第四受信ユニット６４と、
前記第一ターゲットＩＤに基づいて前記アクセス装置が前記ターゲット交換装置との情報同期プロセスを実現させるように制御するように構成される第三制御ユニット６５と、を更に備え、
前記第一ターゲットＩＤはターゲット交換装置に対応するＩＤを表すために用いられる。
【００６６】
当業者は、本発明の実施形態によるアクセス装置における各処理ユニットの機能について、前記制御方法に関する説明を参照して理解することができ、ここでは詳細な説明を省略する。
【００６７】
実際の応用において、前記第三受信ユニット６１、第二決定ユニット６２、第二送信ユニット６３、第四受信ユニット６４及び第三制御ユニット６５はいずれも中央処理装置（Ｃｅｎｔｒａｌ  Ｐｒｏｃｅｓｓｉｎｇ  Ｕｎｉｔ：ＣＰＵ）、デジタル信号処理装置（Ｄｉｇｉｔａｌ  Ｓｉｇｎａｌ  Ｐｒｏｃｅｓｓｏｒ：ＤＳＰ）、又はフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ）により実現され、前記ＣＰＵ、ＤＳＰ、ＦＰＧＡが第一交換装置における。
【００６８】
本発明の実施形態は第二コンピュータ読取可能な記憶媒体を提供し、該記憶媒体は命令のセットを含み、前記命令のセットは実施形態二に記載の交換ネットワークの同期方法を実行するために用いられる。
【００６９】
実施形態三
図７は本発明の実施形態による交換ネットワークの同期方法の具体的な実現フローチャートであり、図８は本発明の実施形態による単段交換ネットワークの同期方向の図である。前記単段交換ネットワークは３つの交換装置と３つのアクセス装置を備え、ここで、各装置には自分のＩＤが設置されている。具体的に、前記３つの交換装置に対応するＩＤがそれぞれ交換装置ＩＤ０、交換装置ＩＤ１と交換装置ＩＤ２であり、前記３つのアクセス装置に対応するＩＤがそれぞれアクセス装置ＩＤ０、アクセス装置ＩＤ１とアクセス装置ＩＤ２である。ＩＤ２の交換装置が情報同期を実現するプロセスを例として、図７及び図８に示すように、前記方法は、ステップ７０１〜ステップ７０６を含む。
【００７０】
ステップ７０１において、前記ＩＤ２の交換装置は、自分の交換装置ＩＤ２及び自分の初期同期レベルを自分に接続しているＩＤ０、ＩＤ１、ＩＤ２のアクセス装置へ送信する。
【００７１】
具体的に、最初に、前記３つの交換装置即ち全ての交換装置のいずれも同期情報を受信しない場合、各交換装置が自分に接続しているアクセス装置に自分の交換装置ＩＤ及び交換装置の初期同期レベルを送信する。例えば、前記ＩＤ０の交換装置は、交換装置ＩＤ０及び初期同期レベル０が含まれる第一同期情報をＩＤ０及びＩＤ１のアクセス装置へ送信する。前記ＩＤ２の交換装置は、交換装置ＩＤ２及び初期同期レベル０が含まれる第一同期情報をＩＤ０、ＩＤ１及びＩＤ２のアクセス装置へ送信する。前記ＩＤ１の交換装置は、交換装置ＩＤ１及び初期同期レベル０が含まれる第一同期情報をＩＤ２のアクセス装置へ送信する。ここで、前記ＩＤ０のアクセス装置が受信した第一同期情報は交換装置ＩＤ０及び交換装置ＩＤ２を含む。前記ＩＤ１のアクセス装置が受信した第一同期情報は交換装置ＩＤ０及び交換装置ＩＤ２を含む。前記ＩＤ２のアクセス装置が受信した第一同期情報は交換装置ＩＤ１及び交換装置ＩＤ２を含む。
【００７２】
更に、前記３つのアクセス装置における各アクセス装置は、受信された第一同期情報には含まれた交換装置ＩＤに基づいて、第一疑似ターゲットＩＤを決定し、第一疑似ターゲットＩＤを含んでいる第二同期情報をアクセス装置に接続している交換装置に送信する。
【００７３】
ここで、アクセス装置が初期同期レベルを受信した後、初期同期レベルに基づいて自分のレベル情報を第一レベル情報として設置し、自分の第一レベル情報を交換装置に送信することで、交換装置がレベル情報に基づいて所定条件を満たす径路情報を決定して、ターゲット交換装置との情報同期プロセスを実現する。
【００７４】
具体的に、前記所定規則はＩＤ最小原則である。例えば、前記ＩＤ０のアクセス装置は、受信された交換装置ＩＤ０及び交換装置ＩＤ２から最小ＩＤである交換装置ＩＤ０を第一疑似ターゲットＩＤとして選出し、第一疑似ターゲットＩＤ即ち交換装置ＩＤ０を含んでいる第二同期情報をＩＤ０及びＩＤ２の交換装置に送信する。ここで、ＩＤ０のアクセス装置が初期同期レベル０に基づいて自分のレベル情報を第一レベル情報として設定し、第一レベル同期を表し、第一レベル情報を第二同期情報に付加してＩＤ０のアクセス装置に接続している交換装置、即ちＩＤ０及びＩＤ２の交換装置に送信する。
【００７５】
同様に、前記ＩＤ１のアクセス装置は、受信された交換装置ＩＤ０及び交換装置ＩＤ２から最小ＩＤの交換装置ＩＤ０を第一疑似ターゲットＩＤとして選出すると共に、初期同期レベル０に基づいて自分のレベル情報を第一レベル情報として設定し、第一レベルによって同期されることを表し、第一疑似ターゲットＩＤ即ち交換装置ＩＤ０及び第一レベル情報を含んでいる第二同期情報をＩＤ０及びＩＤ２の交換装置に送信する。
【００７６】
前記ＩＤ２のアクセス装置は、受信された交換装置ＩＤ１及び交換装置ＩＤ２から最小ＩＤの交換装置ＩＤ１を第一疑似ターゲットＩＤとして選出すると共に、初期同期レベル０に基づいて自分のレベル情報を第一レベル情報として設置し、第一レベルによって同期されることを表し、第一疑似ターゲットＩＤ即ち交換装置ＩＤ１及び第一レベル情報を含んでいる第二同期情報をＩＤ１及びＩＤ２の交換装置に送信する。
【００７７】
ステップ７０２において、前記ＩＤ２の交換装置は、ＩＤ０、ＩＤ１及びＩＤ２のアクセス装置によってそれぞれ送信された第一疑似ターゲットＩＤ及び各アクセス装置に対応する第一レベル情報を受信する。
【００７８】
ステップ７０３において、前記ＩＤ２の交換装置は、ＩＤ１の交換装置によって送信された第二疑似ターゲットＩＤ及びＩＤ０の交換装置によって送信された第二疑似ターゲットＩＤを受信する。
【００７９】
ここで、ＩＤの最小原則に基づいて第二疑似ターゲットＩＤを決定する例を挙げて、前記ＩＤ１の交換装置が受信した、ＩＤ２のアクセス装置によって送信された第一疑似ターゲットＩＤは交換装置ＩＤ１であり、前記ＩＤ１の交換装置がＩＤ２のアクセス装置だけに接続しているので、前記ＩＤ１の交換装置が１つの第一疑似ターゲットＩＤのみを受信し、前記ＩＤ１の交換装置が交換装置ＩＤ１を第二疑似ターゲットＩＤとして選択し、ＩＤ２のアクセス装置を介して前記第二疑似ターゲットＩＤをＩＤ２の交換装置に送信する。
【００８０】
同様に、前記ＩＤ０の交換装置は、自分によって選出された第二疑似ターゲット即ち交換装置ＩＤ０をＩＤ０のアクセス装置またはＩＤ１のアクセス装置を介してＩＤ２の交換装置に送信する。
【００８１】
ステップ７０４において、前記ＩＤ２の交換装置は、受信された第一疑似ターゲットＩＤ及び第二疑似ターゲットＩＤに基づいて第一ターゲットＩＤを決定し、受信された第一レベル情報に基づいて自分の第二レベル情報を決定し、前記第一ターゲットＩＤはターゲット交換装置に対応するＩＤを表すために用いられる。
【００８２】
本実施形態において、ＩＤの最小原則を例として、前記ＩＤ２の交換装置が選出した第一ターゲットＩＤは交換装置ＩＤ０である。
【００８３】
ステップ７０５において、前記ＩＤ２の交換装置はＩＤ０、ＩＤ１及びＩＤ２のアクセス装置からＩＤ０のアクセス装置を情報同期装置として選出して、自分と前記情報同期装置との情報同期プロセスを制御する。ここで、前記情報同期装置に対応する第一疑似ターゲットＩＤと前記第一ターゲットＩＤは同じである。
【００８４】
本実施形態において、前記ＩＤ２の交換装置は受信された第一疑似ターゲットＩＤに基づいて送信元のＩＤを取得することができる。具体的に、前記ＩＤ２の交換装置がＩＤ０、ＩＤ１及びＩＤ２のアクセス装置に対応するアクセス装置ＩＤ０、アクセス装置ＩＤ１とアクセス装置ＩＤ２を取得することができ、ＩＤの最小原則に従って、アクセス装置ＩＤ０、アクセス装置ＩＤ１とアクセス装置ＩＤ２からアクセス装置ＩＤ０に対応する装置を情報同期装置として選出する。ここで、前記ＩＤ２の交換装置が選出したアクセス装置によって決定された第一疑似ターゲットＩＤは前記第一ターゲットＩＤと同じである必要があり、即ち、前記ＩＤ０のアクセス装置よって決定された第一疑似ターゲットＩＤは第一ターゲットＩＤと同じである必要があり、それにより、前記ＩＤ２の交換装置が前記ＩＤ０のアクセス装置を介して前記ターゲット交換装置との情報同期プロセスを実現することができる。
【００８５】
本実施形態において、前記ＩＤ２の交換装置は、受信された第一レベル情報に基づいて自分のレベル情報を第二レベル情報として設置することで、情報を同期されない他のアクセス装置に第二レベル情報を送信し、他のアクセス装置がレベル情報に基づいて自分の径路情報を決定して、前記ターゲット交換装置との情報同期プロセスを実現する。
【００８６】
ステップ７０６において、前記ＩＤ２の交換装置は前記ＩＤ１及びＩＤ２のアクセス装置に自分のＩＤ即ち交換装置ＩＤ２及び第二レベル情報と第一ターゲットＩＤを送信することで、前記ＩＤ１及びＩＤ２のアクセス装置が交換装置ＩＤ２、第二レベル情報及び第一ターゲットＩＤに基づいて所定条件を満たす径路情報を決定して、前記ターゲット交換装置との情報同期プロセスを実現する。
【００８７】
本実施形態において、前記ＩＤ１のアクセス装置における、前記ターゲット交換装置に達する径路は、交換ＩＤ０及び初期同期レベル０、交換装置ＩＤ２及び第二レベル情報を有し、従って、前記ＩＤ１のアクセス装置は最適径路即ち交換装置ＩＤ０及び初期同期レベル０を選択して、前記ターゲット交換装置との情報同期プロセスを実現する。
【００８８】
同様に、前記ＩＤ２のアクセス装置における、前記ターゲット交換装置に達する径路は交換ＩＤ２及び第二レベル情報を有し、従って、前記ＩＤ２のアクセス装置は交換装置ＩＤ２及び第二レベル情報に対応する径路を選択して、前記ターゲット交換装置との情報同期プロセスを実現する。具体的に、前記ＩＤ２のアクセス装置が前記ＩＤ２の交換装置及び前記ＩＤ０のアクセス装置を介して、前記ＩＤ０のターゲット交換装置との情報同期プロセスを実現する。
【００８９】
更に、前記ＩＤ１の交換装置が前記ＩＤ２のアクセス装置、ＩＤ２の交換装置、ＩＤ０のアクセス装置を介して、前記ターゲット交換装置との情報同期プロセスを実現する。
【００９０】
本分野の当業者であれば、本発明の実施形態が方法、システム、或いはコンピュータプログラム製品として提供されることができると理解すべきである。従って、本発明は、ハードウェア実施形態、ソフトウェア実施形態、或いはソフトウェア実施形態とハードウェア実施形態を組み合わせた形態を使用することができる。しかも、本発明はコンピュータ使用可能プログラムコードを含む１つ以上のコンピュータで使用可能な記憶媒体（磁気ディスク記憶装置と光メモリなどを含むがこれらに限られない）により実施されるコンピュータプログラム製品の形態を使用することができる。
【００９１】
本発明は、本発明の実施形態による方法、装置（システム）、及びコンピュータプログラム製品のフローチャート及び／又はブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサに提供して１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【００９２】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【００９３】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【００９４】
以上は、本発明の具体的な実施形態に過ぎず、本発明に開示された技術範囲内に、いずれかの当業者が簡単に想到できる変化又は置き換えは、本発明の保護範囲内に含まれるべきである。
【産業上の利用可能性】
【００９５】
本発明の実施形態において、第一交換装置が第一疑似ターゲットＩＤを受信し、前記第一交換装置がアクセス装置を介して第二交換装置によって送信された第二疑似ターゲットＩＤを受信し、前記第一交換装置が前記第一疑似ターゲットＩＤ及び前記第二疑似ターゲットＩＤに基づいて第一ターゲットＩＤを決定し、前記第一ターゲットＩＤはターゲット交換装置に対応するＩＤであり、それにより、第一交換装置が他の交換装置によって送信された第二疑似ターゲットＩＤを受信することを実現し、更に、前記第一交換装置が交換ネットワークに対応する唯一の第一ターゲットＩＤを容易に決定し、更に、交換ネットワークにおける全ての装置の情報同期を実現する。
【図１】
0006526836.tif 000002
【図２】
0006526836.tif 000003
【図３】
0006526836.tif 000004
【図４】
0006526836.tif 000005
【図５】
0006526836.tif 000006
【図６】
0006526836.tif 000007
【図７】
0006526836.tif 000008
【図８】
0006526836.tif 000009